(57)【要約】      （修正有）【課題】簡単に組立られ、且つ定位機能を具有するスライダーの構造を提供する。【解決手段】主に本体、定位部品及び引手で構成する。本体内にファスナーを挟持するガイド溝を設置し、本体表面に間隔を隔てて第一定位部及び第二定位部を設置する。本体表面に定位部品を設置し、定位部品は基底部を具有し、基底部の両側をそれぞれ第一アームと第二アームに彎曲し、且つ第一アームと第二アームはそれぞれ第一定位部と第二定位部に定位する。また、第二アームの末端にストッパー部を形成し、ストッパー部は第二定位溝にまで延伸してガイド溝に入り、ファスナーを歯止め定位する役割を果たす。本体表面と定位部品の基底部の間に引手を設け、引手によって定位部品に弾性が生じて変形することで、ファスナーとストッパー部の定位状態を解除し、更に第二アームの第二定位シートによって脱落を防止する。【選択図】図１
0003173803.tif 000002
【実用新案登録請求の範囲】
【請求項１】
本体、定位部品及び引手を含み、
該本体内にファスナーを挟持するガイド溝を設置し、表面に間隔を隔てて第一定位部及び第二定位部を設置し、第一定位部は本体の底面に向けて第一定位溝を設置し、該第二定位部は本体の底面に向けて下向きに第二定位溝を設置し、且つ第二定位溝はガイド溝と繋がり、
該定位部品は基底部を具有し、該基底部の両側それぞれ同じ向きに第一アーム及び第二アームを曲げ、第二アームの末端にストッパー部を形成し、第一アームを本体表面から第一定位溝内に入れて定位し、第二アームを本体表面から第二定位溝内に入れることでストッパー部をガイド溝内に位置させ、
該引手は接続部を具有し、該接続部の片面は引き部を延伸し、接続部は本体の第一定位部と第二定位部及び本体表面と定位部品の基底部の間に位置することを特徴とする簡単組立且つ定位機能を具有するスライダーの構造。
【請求項２】
前記第一定位溝の下方端の第二定位部に近い内壁両側にそれぞれ定位ブロックを突設し、第一アームの末端両側から第一定位シートを延伸し、第一アームは二つの定位ブロックの間に位置し、第一定位シートは二つの定位ブロックの底面に抵触することを特徴とする請求項１記載の簡単組立且つ定位機能を具有するスライダーの構造。
【請求項３】
前記定位ブロックの表面に斜面を設けることを特徴とする請求項２記載の簡単組立且つ定位機能を具有するスライダーの構造。
【請求項４】
前記第二定位溝の上方端の第一定位部に近い内壁両側にストッパーブロックを突設し、第二アームの両側から第二定位シートを延伸し、第二アームは二つのストッパーブロックの間に位置し、第二定位シートは二つのストッパーブロックの底面下方に位置することを特徴とする請求項１記載の簡単組立且つ定位機能を具有するスライダーの構造。
【請求項５】
前記引手の接続部の片面にアーク型凸部を突設し、本体表面にある第一定位部と第二定位部の間にアーク型凹部を設置し、該アーク型凸部はアーク型凹部の中に位置することを特徴とする請求項１記載の簡単組立且つ定位機能を具有するスライダーの構造。
【請求項６】
前記基底部は弾力彎曲部を具有することを特徴とする請求項１記載の簡単組立且つ定位機能を具有するスライダーの構造。
【請求項７】
前記定位部品は一枚のプレートを折り曲げて形成するものであることを特徴とする請求項１記載の簡単組立且つ定位機能を具有するスライダーの構造。
【考案の詳細な説明】
【技術分野】
【０００１】
本考案は簡単組立且つ定位機能を具有するスライダーの構造に関し、特に開合機能を具有してファスナーに組み合わせる簡単組立且つ定位機能を具有するスライダーの構造に関する。
【背景技術】
【０００２】
従来技術のスライダーはファスナーを開合するための部品であり、操作が便利であるため、前々から普及して使われている。ユーザーがスライダーを操作していない時に、スライダーが自ら移動するのを防止するため、現在は多くの定位機能を設置し、スライダーを歯止めの状態にする。しかし、このような歯止め定位機能を具有するスライダーを生産する際、多くのボルト或いはリベット打ちを用いて組み立てるため、部品が多いほか、組立する過程が煩雑であり、コストがアップすることを鑑みて、更なる改善が必要であった。
【先行技術文献】
【特許文献】
【０００３】
【特許文献１】特開平１１−３２３６４２号公報
【考案の概要】
【考案が解決しようとする課題】
【０００４】
前記公知構造の欠点を解決するため、本考案は定位部品を使って、引手を本体に枢設してスライダーを形成し、更に定位部品の末端がファスナーを歯止め定位するストッパー部を形成し、引手を動かすことによって定位部品に弾性が生じて変形することでファスナーとストッパー部の定位状態を解除し、更に第二アームの第二定位シートによって脱落を防止するため、スライダーの部品が少なくなり、組立の過程を簡易化することができる簡単組立且つ定位機能を具有するスライダーの構造を提供することを主な課題とする。
【課題を解決するための手段】
【０００５】
上述の目的を解決するために、本考案は簡単組立且つ定位機能を具有するスライダーの構造を提供するものである。本考案のスライダー本体内にファスナーを挟持するガイド溝を設置し、本体表面に間隔を隔てて第一定位部及び第二定位部を設置する。本体表面に定位部品を設置し、該定位部品は基底部を具有し、基底部の両側をそれぞれ第一アームと第二アームに彎曲し、且つ第一アームと第二アームはそれぞれ第一定位部と第二定位部に定位する。また、第二アームの末端にストッパー部を形成し、該ストッパー部は第二定位溝にまで延伸してガイド溝に入り、ファスナーを歯止め定位する役割を果たす。本体表面と定位部品の基底部の間に引手を設け、引手によって定位部品に弾性が生じて変形することで、ファスナーとストッパー部の定位状態を解除する。
本考案は下記の特徴を有する。
（１）本体、定位部品及び引手を含み、
該本体内にファスナーを挟持するガイド溝を設置し、表面に間隔を隔てて第一定位部及び第二定位部を設置し、第一定位部は本体の底面に向けて第一定位溝を設置し、該第二定位部は本体の底面に向けて下向きに第二定位溝を設置し、且つ第二定位溝はガイド溝と繋がり、
該定位部品は基底部を具有し、該基底部の両側それぞれ同じ向きに第一アーム及び第二アームを曲げ、第二アームの末端にストッパー部を形成し、第一アームを本体表面から第一定位溝内に入れて定位し、第二アームを本体表面から第二定位溝内に入れることでストッパー部をガイド溝内に位置させ、
該引手は接続部を具有し、該接続部の片面は引き部を延伸し、接続部は本体の第一定位部と第二定位部及び本体表面と定位部品の基底部の間に位置することを特徴とする簡単組立且つ定位機能を具有するスライダーの構造。
（２）前記第一定位溝の下方端の第二定位部に近い内壁両側にそれぞれ定位ブロックを突設し、第一アームの末端両側から第一定位シートを延伸し、第一アームは二つの定位ブロックの間に位置し、第一定位シートは二つの定位ブロックの底面に抵触することを特徴とする（１）記載の簡単組立且つ定位機能を具有するスライダーの構造。
（３）前記定位ブロックの表面に斜面を設けることを特徴とする（２）記載の簡単組立且つ定位機能を具有するスライダーの構造。
（４）前記第二定位溝の上方端の第一定位部に近い内壁両側にストッパーブロックを突設し、第二アームの両側から第二定位シートを延伸し、第二アームは二つのストッパーブロックの間に位置し、第二定位シートは二つのストッパーブロックの底面下方に位置することを特徴とする（１）記載の簡単組立且つ定位機能を具有するスライダーの構造。
（５）前記引手の接続部の片面にアーク型凸部を突設し、本体表面にある第一定位部と第二定位部の間にアーク型凹部を設置し、該アーク型凸部はアーク型凹部の中に位置することを特徴とする（１）記載の簡単組立且つ定位機能を具有するスライダーの構造。
（６）前記基底部は弾力彎曲部を具有することを特徴とする（１）記載の簡単組立且つ定位機能を具有するスライダーの構造。
（７）前記定位部品は一枚のプレートを折り曲げて形成するものであることを特徴とする（１）記載の簡単組立且つ定位機能を具有するスライダーの構造。
【考案の効果】
【０００６】
本考案は基底部、第一、第二アーム及びストッパー部を具有する定位部品及び引手で構成することにより、引手を動かすことにより定位部品に弾性が生じて変形してファスナーとストッパー部の定位状態を解除し、更に第二アームの第二定位シートによって脱落を防止するため、スライダーの部品が少なくなり、組立の過程を簡易化することができる。
【図面の簡単な説明】
【０００７】
【図１】本考案における立体外観図である。
【図２】本考案における立体分解図である。
【図３】本考案における本体の仰視図である。
【図４】本考案における引手の立体外観図である。
【図５】本考案における定位部品の立体外観図である。
【図６】本考案における側視断面図である。
【図７】本考案における正視断面図である。
【図８】本考案のおける側視断面動作略図である。
【図９】本考案の第二実施例の側視断面図である。
【図１０】本考案の第二実施例の側視断面動作略図である。
【考案を実施するための形態】
【０００８】
図１から図６に示すように、本考案のスライダーに本体１、定位部品２及び引手３を設置する。
【０００９】
該本体１内にガイド溝１１を設置し、表面に間隔を隔てて第一定位部１２及び第二定位部１３を設置する。第一定位部１２は本体１の底面に向けて第一定位溝１２１を設置し、該第二定位部１３は本体１の底面に向けて下向きに第二定位溝１３１を設置し、且つ第二定位溝１３１はガイド溝１１と繋がり、また、本体１表面の第一定位部１２と第二定位部１３の間にアーク型凹部１４を設ける。前記第一定位溝１２１の下方端の第二定位部１３に近い内壁両側にそれぞれ定位ブロック１２２を突設し、且つ該定位ブロック１２２の表面に斜面１２３を設ける。第二定位溝１３１の上方端の第一定位部１２に近い内壁両側にストッパーブロック１３２を突設する。
【００１０】
該定位部品２は一枚のプレートを折り曲げて形成するものである。該定位部品２は基底部２１を具有し、該基底部２１は弾性変形が可能となる弾力彎曲部２１１を具有する。該基底部２１の両側それぞれ同じ向きに第一アーム２２及び第二アーム２３を曲げ、第一アーム２２の末端両側から第一定位シート２２１を延伸し、第二アーム２３の両側から第二定位シート２３２を延伸する。第二アーム２３の末端にストッパー部２３１を形成し、第一アーム２２の末端は第二アーム２３に傾けて斜めに形成する。
【００１１】
該引手３は接続部３１を具有し、該接続部３１の片面は引き部３２を延伸し、別面はアーク型凸部３１１を突設する。
【００１２】
本考案を組み立てる際、引手３の接続部３１を本体１の第一定位部１２と第二定位部１３の間に入れ、接続部３１のアーク型凸部３１１を本体表面にあるアーク型凹部１４内に置き、引き続き定位部品２の第一アーム２２を本体１の表面から第一定位溝１２１内に入れて二つの定位ブロック１２２の間に位置させると同時に、第一定位シート２２１は二つの定位ブロック１２２の底面に抵触する。定位部品２の第二アーム２３は本体１の表面から第二定位溝１３１内に入れて二つのストッパーブロック１３２の間に位置させると同時に、第二定位シート２３２は二つのストッパーブロック１３２の底面下方に位置する。また、第二アーム２３の末端にあるストッパー部２３１をガイド溝１１内に位置し、引手３の接続部３１を本体１表面と定位部品２の基底部２１の間に位置させて、本考案の組合せを完了する。
【実施例】
【００１３】
更に第一アーム２２の末端は第二アーム２３に傾けて斜めに形成するため、第一アーム２２を第一定位溝１２１内に入れる際、第一アーム２２と基底部２１の彎曲箇所は第二定位溝１３１と離れた第一定位溝１２１の面を抵触し、第一アーム２２の末端は第二定位溝１３１と近い第一定位溝１２１の面を抵触する。入れる過程において、第一アーム２２の第一定位シート２２１は定位ブロック１２２に設ける斜面１２３により、簡単に定位ブロック１２２を滑り超えて定位ブロック１２２の底面に定位する。
【００１４】
図６及び図７に示すように、本考案の組合せファスナー４を使用する際、ファスナー４は挟まれて本体１のガイド溝１１内を通る。定位部品２のストッパー部２３１がガイド溝１１内に位置するため、ストッパー部２３１はファスナー４を歯止めし、本体１がファスナー４をそれ以上移動することができず、定位する状態となる。ユーザーが本体１を移動したい場合、図８に示すように、まず引手３の引き部３２を引っ張り、引手３の接続部３１を回転させ、接続部３１のアーク型凸部３１１がアーク型凹部１４から滑り出させる。このとき、アーク型凸部３１１は定位シート２の基底部２１を押す。定位シート２の第一アーム２２は第一定位溝１２１内に定位するため、該基底部２１は第一アーム２２と基底部２１の彎曲箇所の弾性により第二アーム２３を上向きに上げることで、第二アーム２３の末端にあるストッパー部２３１が第二定位溝１３１内に縮退してストッパー部２３１とファスナー４の歯止め状態を解除し、ユーザーは引手３を引っ張って、本体１をファスナー４の上を移動することができる。また、第二アーム２３の両側より第二定位シート２３２を延伸するため、第二アーム２３のストッパー部２３１が内側に縮退して変位するとき、第二定位シート２３２はストッパーブロック１３２の底面を抵触し、過度に変位できないため、第二アーム２３が第二定位溝１３１から脱落するのを防止する。更にアーク型凸部３１１が定位シート２の基底部２１を抵触して回転する際、定位シート２は回転により弾性変形し、元の位置に戻る力を具有するため、ユーザーが本体１を適切な位置に移動し、引手３から手を離すと、定位シート２が具有する元に戻る力により、基底部２１が引手３の接続部３１を押し、それによって接続部３１のアーク型凸部３１１がアーク型凹部１４に沿って滑り入るため、第二アーム２３のストッパー部２３１は再び第二定位溝１３１よりガイド溝１１にまで入ってファスナー４を歯止めし、本体１がファスナー４に定位する。
【産業上の利用可能性】
【００１５】
図９及び図１０に示すように、本考案の引手３に設ける接続部３１は直接引き部３２によって変位をすることができ、同様に定位シート２のストッパー部２３１及びファスナー４の歯止め状態を解除することができる。
【００１６】
上記をまとめ、本考案は定位部品２を使って直接引手３を本体１に定位し、且つ定位部品２の第一アーム２２を本体１の第一定位溝１２１内に定位し、更に第二アーム２３の第二定位シート２３２を組み合わせて脱落を防止することで、定位機能を具有するスライダーは必要な部品を少なくすることに成功し、組み立てる過程もシンプル化し、有効的にコストを最も低く抑えることができた。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１８】
１  本体
１１  ガイド溝
１２  第一定位部
１２１  第一定位溝
１２２  定位ブロック
１２３  斜面
１３  第二定位部
１３１  第二定位溝
１３２  ストッパーブロック
１４  アーク型凹部
２  定位部品
２１  基底部
２１１  弾力彎曲部
２３  第二アーム
２３１  ストッパー部
２３２  第二定位シート
３  引手
３１  接続部
３１１  アーク型凸部
３２  引き部
４  ファスナー
【図１】
0003173803.tif 000003
【図２】
0003173803.tif 000004
【図３】
0003173803.tif 000005
【図４】
0003173803.tif 000006
【図５】
0003173803.tif 000007
【図６】
0003173803.tif 000008
【図７】
0003173803.tif 000009
【図８】
0003173803.tif 000010
【図９】
0003173803.tif 000011
【図１０】
0003173803.tif 000012